(57)【特許請求の範囲】
【請求項１】
自動もしくは手動により上下移動が可能で、インシュレータをオーディオ機器に設置するために用いられるリフターにおいて、前記リフターの上にオーディオ機器を搭載して、前記リフターを上昇させることにより、前記オーディオ機器底面と床面間の距離を増大させて前記インシュレータを着脱自在に設置できると共に、前記距離を減少させることにより前記オーディオ機器の自重を前記インシュレータだけで支持した状態で、前記リフターを着脱自在に設置でき、
前記リフターが、回転自在に支持された螺旋体と、この螺旋体と螺合する複数のナットと、この複数のナットと個別に係合する複数個のリンクと、この複数個のリンクと前記ナットの反対側で係合するリンク固定部材と、前記ナット及び前記リンク固定部材を挟みこんで収納する上部基材と下部基材により構成されるリフターにおいて、前記螺旋体の回転によりオーディオ機器を搭載する前記上部基材と、床面に設置される前記下部基材の距離が調節可能であり、
前記複数個のリンクが、前記螺旋体と前記上部基材との間、又は、前記螺旋体と前記下部基材との間のいずれか一方にのみ設けられており、
前記複数個のリンクが、少なくともフロント側リンクと、リアー側リンクと、前記フロント側リンクと前記リアー側リンクの間に設けられた中間部リンクと、からなり、
前記フロント側リンクと前記リアー側リンクが、台形リンク機構をなすとともに、
前記中間部リンクが、前記フロント側リンク又は前記リアー側リンクのいずれかと平行四辺形リンク機構をなすことを特徴とするリフター。
【請求項２】
オーディオ機器が搭載される前記リフターの上面と前記床面間の距離をHとしたとき、リフターが最も下降した状態で、H＜50mmであることを特徴とする請求項１記載のリフター。
【請求項３】
リフター上面の摩擦係数μA、リフター下面の摩擦係数μBとして、μB＜μAであることを特徴とする請求項１記載のリフター。
【請求項４】
前記螺旋体はねじ溝が形成されたフロント側螺旋軸と、このフロント側螺旋軸とは逆方向のねじ溝が形成されたリアー側螺旋軸から構成され、前記フロント側螺旋軸、あるいは、前記リアー側螺旋軸のいずれかは複数個のナットと係合されていることを特徴とする請求項１記載のリフター。
【請求項５】
前記螺旋軸を回転駆動するモータと、このモータの回転角度を制御する制御装置から構成されることを特徴とする請求項４記載のリフター。
【請求項６】
請求項１又は５記載のリフターを用いたオーディオ機器の設置方法であって、昇降調節機能を有する前記リフターの上部側にオーディオ機器を搭載して、前記リフターの前記上部側を前記オーディオ機器と共に上昇させた後、前記オーディオ機器と基礎面の間にインシュレータを配置し、その後、前記リフターの前記上部側を下降させて、前記インシュレータだけで前記オーディオ機器の自重を支持させることを特徴とするオーディオ機器の設置方法。
【請求項７】
オーディオ機器の設置終了後、前記リフターの前記上部側と前記オーディオ機器の下面側の間に狭い隙間を設けた状態を常時保つことを特徴とする請求項６記載のオーディオ機器の設置方法。
【請求項８】
昇降機能が自動式である前記リフターを用いて、このリフターを上昇、あるいは下降させることにより、インシュレータ評価装置として前記インシュレータが前記オーディオ機器に与える音響特性を評価することを特徴とする請求項６記載のオーディオ機器の設置方法。
【請求項９】
条件１はオーディオ機器をインシュレータで支持した場合、条件２はオーディオ機器をインシュレータで支持しない場合としたとき、条件１から条件２、あるいは条件２から条件１への移行時間はいずれも２秒以下であることを請求項８記載のオーディオ機器の設置方法。
【請求項１０】
回転自在に支持された螺旋体と、この螺旋体と螺合する複数のナットと、この複数のナットと個別に係合する複数個のリンクと、この複数個のリンクと前記ナットの反対側で係合するリンク固定部材と、前記ナット及び前記リンク固定部材を挟みこんで収納する上部基材と下部基材と、前記螺旋体はねじ溝が形成されたフロント側螺旋軸と、このフロント側螺旋軸とは逆方向のねじ溝が形成されたリアー側螺旋軸から構成され、前記フロント側螺旋軸、あるいは、前記リアー側螺旋軸のいずれかは複数個の前記ナットと係合されており、前記螺旋体の回転により移載物を搭載する前記上部基材と、床面に設置される前記下部基材の距離が調節可能であり、
前記複数個のリンクが、前記螺旋体と前記上部基材との間、又は、前記螺旋体と前記下部基材との間のいずれか一方にのみ設けられており、
前記複数個のリンクが、少なくともフロント側リンクと、リアー側リンクと、前記フロント側リンクと前記リアー側リンクの間に設けられた中間部リンクと、からなり、
前記フロント側リンクと前記リアー側リンクが、台形リンク機構をなすとともに、
前記中間部リンクが、前記フロント側リンク又は前記リアー側リンクのいずれかと平行四辺形リンク機構をなすことを特徴とするリフター。
【請求項１１】
前記複数個のリンクにはキャスターが設けられており、前記螺旋体の回転により、前記上部基材と前記下部基材の距離が所定値よりも大きくなったときに、前記キャスターが前記下部基材よりも床面側に突出することにより、リフター全体がキャスターで支持可能となることを特徴とする請求項１０記載のリフター。
【発明の詳細な説明】
【技術分野】
【０００１】
本発明は、音質向上のために用いられるインシュレータを、オーディオ機器に装着する際に有用なリフター（昇降機）に関するものである。
【背景技術】
【０００２】
オーディオの分野においては、原音に限りなく近い音の追及が、オーディオ機器である、アンプ、スピーカー、ＣＤプレイヤー、ケーブルなどの各コンポーネンツにおいてなされてきた。オーディオ機器の再生音の品位を低下させる要因の一つに、振動がオーディオ機器に与える影響がある。周知のように、オーディオ機器は自ら振動を発生するとともに、外部から様々な振動の影響を受けている。アンプの場合は電源トランスの交流基本信号とその高調波成分による「うなり」が発生する。CDプレイヤーの場合はディスクを回すモーターが振動源となる。スピーカーの場合、コーンを駆動するボイスコイルの反力がスピーカー・エンクロージャー（箱）本体を振動させる。この振動がスピーカーを設置した床面に伝達され、床面を含む部屋全体の持つ複雑な固有振動モードを励起させる。原音に複雑に重畳された外乱振動は、再びスピーカー本体を振動させる。スピーカーと設置面の間のこの相互干渉による振動が、再生音の品位を低下させる重要な要因となる。振動がオーディオ機器に与える影響を改善するものとして、インシュレータがある。従来、インシュレータとして用いられているものに、次の三つのタイプがある。
【０００３】
（１）スパイク構造によるインシュレータ
円錐形状のスパイク（特許文献１）は、「円柱→円錐→円錐の頂点→スパイク受け→床面」の方向には振動が伝達され易く、その逆方向には伝達されにくい効果を利用したもので、スピーカーの設置に多用されている。
（２）硬質材料によるインシュレータ
このタイプのインシュレータはオーディオ機器が発生する振動を効果的に吸収し、外部へ逃すことを目的としたもので、たとえば、硬質材である、木材、樹脂、金属、水晶、セラミック等を用いたもの、及びこれらの素材を多層構造にした複合タイプ（特許文献２）が考案され商品化されている。
（３）フローティング方式インシュレータ
振動の遮断（シャットアウト）を目的としたもので、剛性の小さい緩衝体が用いられる。緩衝体として、ゴム材を用いたもの、スプリングコイルを用いるもの、空気を封じ込めたエアーフローティング・ボード、磁力の反発力を利用したものなどがある。
【先行技術文献】
【特許文献】
【０００４】
【特許文献１】特許第3848987号
【特許文献２】特開平10-246284号公報
【発明の概要】
【発明が解決しようとする課題】
【０００５】
インシュレータをオーディオ機器に適用する場合の課題のひとつは、設置作業である。前述した３種類のインシュレータのうち、スパイク方式インシュレータはスパイクと受け皿から構成される。スパイクは通常スピーカーに装着されているため、スピーカーの設置時に、スパイクと床面に配置されるスパイク受けの両軸芯を合わせる作業が必要である。80Kgを超える重量級のスピーカーの場合、通常４箇所に設けられているスパイクの軸芯とスパイク受けの軸芯を合わせる作業は容易ではない。スピーカーを軸方向に持ち上げた状態で、スパイク受けの位置決めを行うため、大人２人以上の人手が必須の重労働作業となる。硬質材料によるインシュレータの場合は、設置作業は比較的容易であるが、軸方向に弾性変形するフローティング方式の場合は、上下スリーブの軸芯を合わせる必要があり、スパイク方式同様に設置作業に大きな課題があった。
【０００６】
インシュレータを適用する際のもうひとつの課題は、インシュレータを適用することによる音響効果を容易には比較評価できないという点である。オーディオ再生音における音響効果は、奥域感 （空間性）、分解能 （フォーカス感）、透明感（S／N比）、低域の力感 （ダンピング特性）などで評価される。上記評価は、リスナー側の心理的要因（後述するプラセボ効果）に左右される場合が多い。特に、オーディオ用・インシュレータの場合、リスナーがプラセボ効果の呪縛から逃れにくい理由は、たとえば、次の条件の差、
（１）オーディオ機器をインシュレータで支持した場合
（２）オーディオ機器をインシュレータで支持しない場合
【０００７】
すなわち上記(1)⇔(2)へ移行するのに、多大な労力と長い待機時間を必要とするからである。すなわち、「品種の違うテレビを左右に並べて、両者の画質を同時に評価する」ようにはいかないのが、オーディオ用・インシュレータを評価する上での最大の難題であった。
【０００８】
重量物の搭載作業に、様々な分野でジャッキ（リフター）が用いられてきた。ジャッキは、小型のものから大型の据え置き型まであり、一般的には自動車のタイヤ交換を行なうものがよく知られている。大型のジャッキは油圧式のものが多く、工場などで使われるほか、建築現場、架橋作業などでも使われている。十分に整備されているジャッキであれば女性や高齢者など力の弱い者でも時間を掛けて操作することで１トン近い自動車の片輪を持ち上げることも訳無くできるため、様々な場所に存在・利用されている。ジャッキを大別すると機械式のものと液体作動式に分けられ、下記のような種類がある。
【０００９】
（１）機械式
・ねじジャッキ（普通形ねじ式、ラチェット式ねじ式、軸受付ねじ式）
・ラック駆動ジャッキ
（２）液体作動式
・油圧ジャッキ （ポンプ一体型、ポンプ分離型）
・空気式（エアージャッキ）
【００１０】
ここで、インシュレータのスピーカーへの設置作業を、ジャッキ（以下、リフターと呼ぶ）を用いて行う場合に、リフターに要求される条件について考察すると、次の様である。
(i)薄型構造である
特に80Kg以上の重量級スピーカーを扱う場合、スピーカーをリフターの上に搭載するためには、リフターの高さはできるだけ低い方が好ましい。
(ii)オーディオ機器を搭載した状態で移動できる
スピーカーは部屋の壁面に近い位置に設けられている場合が多く、リフターをスピーカーの底面に配置するためには、スピーカーを一度壁面から離さねばならない。スピーカーをリフターに搭載後、インシュレータを設置するため、再びリフターを所定の位置に戻す必要がある。
(iii)インシュレータの試聴実験に有効
インシュレータの着脱、あるいは品種の異なるインシュレータの交換などの作業を速やかに出来る。
【００１１】
また、オーディオ機器は室内で使用される民生商品であり、クリーン（油漏れなどがない）、小型・コンパクトであること等の条件を考慮すると、従来の機械式、液体作動式リフター（ジャッキ）では、(ｉ)〜(iii)を含む上記条件を満足するのは難しい。
【課題を解決するための手段】
【００１２】
具体的に、請求項１の発明は、自動もしくは手動により上下移動が可能で、インシュレータをオーディオ機器に設置するために用いられるリフターにおいて、前記リフターの上にオーディオ機器を搭載して、前記リフターを上昇させることにより、前記オーディオ機器底面と床面間の距離を増大させて前記インシュレータを着脱自在に設置できると共に、前記距離を減少させることにより前記オーディオ機器の自重を前記インシュレータだけで支持した状態で、前記リフターを着脱自在に設置できるように構成したものである。
【００１３】
すなわち、本発明のリフターをたとえば、重量級のスピーカーにインシュレータを設置する作業に適用すれば、従来、２人以上の人手が必須だった重労働作業から開放されて、安全かつ簡便にインシュレータを設置することができる。
【００１４】
具体的に、請求項２の発明は、オーディオ機器が搭載される前記リフターの上面と前記床面間の距離をHとしたとき、リフターが最も下降した状態で、H＜50mmとなるように、リフターの構造に工夫を施したものである。
【００１５】
すなわち、本発明においては、たとえば、80Kg以上の重量級スピーカーを扱う場合は、リフターの厚みを薄くすることにより、インシュレータ設置作業の前段階として、スピーカーを容易にリフターの上に搭載できる。また、多くの種類のスパイク式インシュレータ、フローティング方式インンシュレータの設置作業に適用できる。
【００１６】
具体的に、請求項３の発明は、リフター上面の摩擦係数μA、リフター下面の摩擦係数μBとして、μB＜μAとしたものである。
【００１７】
すなわち、本発明においては、リフター上面の摩擦係数μAとリフター下面の摩擦係数μBを上記条件に設定することにより、リフター上にオーディオ機器を搭載した状態で、オーディオ機器を本来設置すべき部屋の位置へ、床面を滑らせて移動できる。またスピーカーの場合、この段階で前記スピーカーの適確な角度を調整できる。
【００１８】
具体的に、請求項４の発明は、回転自在に支持された螺旋体と、この螺旋体と螺合する複数のナットと、この複数のナットと個別に係合する複数個のリンクと、この複数個のリンクと前記ナットの反対側で係合するリンク固定部材と、前記ナット及び前記リンク固定部材を挟みこんで収納する上部基材と下部基材により構成されるリフターにおいて、前記螺旋体の回転によりオーディオ機器を搭載する前記上部基材と、床面に設置される前記下部基材の距離が調節可能となるように構成したものである。
【００１９】
すなわち、本発明においては、上記リンク機構の適用により、床面に対して平行移動できる平面を有する薄型リフターを提供できる。ちなみに、自動車用に多用される小型ジャッキ（パンタグラフジャッキ）は、螺旋体の上下に設けられた台形の平行リンク機構により構成される。この場合、螺旋体を挟み上下２段の平行リンク機構が必要なため、オーディオ機器を適用対象にした場合、リフターの薄型化は困難である。
【００２０】
具体的に、請求項５の発明は、前記螺旋体はねじ溝が形成されたフロント側螺旋軸と、このフロント側螺旋軸とは逆方向のねじ溝が形成されたリアー側螺旋軸から構成され、前記フロント側螺旋軸、あるいは、前記リアー側螺旋軸のいずれかは複数個のナットと係合したものである。
【００２１】
すなわち、本発明においては、４辺形の平行リンク機構に加えて、さらにリンク機構を追加して全体のリンク機構の自由度を減らすことにより、上部ケースの下部ベースに対する平行状態を維持することができる。
【００２２】
具体的に、請求項６の発明は、前記螺旋軸を回転駆動するモータと、このモータの回転角度を制御する制御装置から構成したものである。
【００２３】
すなわち、本発明においては、インシュレータ設置作業をより簡便に、かつ迅速にできる。
【００２４】
具体的に、請求項７の発明は、前記リフターは空気圧により駆動したものである。
【００２５】
すなわち、本発明においては、リフターの駆動源に空気圧を用いることにより、リフターの構成を簡素化できる。
【００２６】
具体的に、請求項８の発明は、空気圧で伸縮するシリンダと、このシリンダを上下で挟持する上部板とベース台と、この上部板とベース台の相対的な傾斜を抑制するガイド部から構成したものである。
【００２７】
すなわち、本発明においては、前記ガイド軸を前記シリンダと並列に配置して、たとえば、重量級のスピーカーが本リフターに搭載された状態で、前記エアーシリンダの突然の破損により空気漏れが発生した場合でも、スピーカーは傾斜することなく下降するため、その転倒を防止できる。
【００２８】
具体的に、請求項９の発明は、昇降調節機能を有するリフターの上部側にオーディオ機器を搭載して、前記リフターの前記上部側を前記オーディオ機器と共に上昇させた後、前記オーディオ機器と基礎面の間にインシュレータを配置し、その後、前記リフターの前記上部側を下降させて、前記インシュレータだけで前記オーディオ機器の自重を支持させるオーディオ機器の設置方法を示すものである。
【００２９】
すなわち、本発明においては、たとえば、スパイク方式インシュレータのスピーカーへの設置作業に適用したとき、上記手順を踏むことにより、スピーカーに装着されたスパイクの軸芯に対して、床面に配置されるスパイクの軸芯を、危険な重労働作業を伴うことなく、確実に合せることができる。上面と下面の軸芯が同軸であることを必要とするフローティング方式も同様である。
【００３０】
具体的に、請求項１０の発明は、オーディオ機器の設置終了後、前記リフターの前記上部側と前記オーディオ機器の下面側の間に狭い隙間を設けた状態を常時保つオーディオ機器の設置方法を示すものである。
【００３１】
すなわち、本発明においては、弾性変形するフローティング方式インシュレータの場合は、スピーカーの底面がインシュレータの上面に接触し、かつ前記スピーカーの質量を前記インシュレータだけで支持できるようになるまで、リフターを下降させる。スパイク方式インシュレータの場合は、スピーカー側に設けられたスパイクが床面上に配置されたスパイク受けで支持されるまで、前記リフターを下降させる。このとき、前記スピーカー底面と前記リフター上面の間に僅かな隙間（たとえば、隙間δ＜5mm）を保つように設定しておけば、前記スピーカーに地震などの衝撃的外乱が加わった場合に、スピーカーの転倒防止が図れる。
【００３２】
具体的に、請求項１１の発明は、昇降機能が自動式であるリフターを用いて、このリフターを上昇、あるいは下降させることにより、前記インシュレータが前記オーディオ機器に与える音響特性をすみやかに評価できるオーディオ機器の設置方法を示すものである。
【００３３】
すなわち、本発明においては、心理的影響（プラセボ効果）を受け易い音響特性の評価に対して、本発明のインシュレータ評価装置を適用することにより、リスナーは、ステレオ再生による音像定位感が最適な位置で、自らのリモコン操作でリフターを上下動させることにより、瞬時にインシュレータの音響効果を評価できる。
【００３４】
具体的に、請求項１２の発明は、条件１はオーディオ機器をインシュレータで支持した場合、条件２はオーディオ機器をインシュレータで支持しない場合としたとき、条件１から条件２、あるいは条件２から条件１への移行時間はいずれも２秒以下としたものである。
【００３５】
すなわち、本発明においては、リスナーがプラセボ効果の呪縛から回避できる最大のポイントは、条件１⇔条件２へ移行するまでの待機時間の短縮、すなわち、インシュレータ有無の「切り替え時間の短縮」であることに着目したものである。
【００３６】
具体的に、請求項１３の発明は、回転自在に支持された螺旋体と、この螺旋体と螺合する複数のナットと、この複数のナットと個別に係合する複数個のリンクと、この複数個のリンクと前記ナットの反対側で係合するリンク固定部材と、前記ナット及び前記リンク固定部材を挟みこんで収納する上部基材と下部基材と、前記螺旋体はねじ溝が形成されたフロント側螺旋軸と、このフロント側螺旋軸とは逆方向のねじ溝が形成されたリアー側螺旋軸から構成され、前記フロント側螺旋軸、あるいは、前記リアー側螺旋軸のいずれかは複数個の前記ナットと係合されており、前記螺旋体の回転により移載物を搭載する前記上部基材と、床面に設置される前記下部基材の距離が調節可能となるように構成したものである。
【００３７】
すなわち、本発明においては、薄型・シンプル構造・コンパクトなリフターとして、多くの用途に適用可能である。
【００３８】
具体的に、請求項１４の発明は、前記複数個のリンクにはキャスターが設けられており、前記螺旋体の回転により、前記上部基材と前記下部基材の距離が所定値よりも大きくなったときに、前記キャスターが前記下部基材よりも床面側に突出することにより、リフター全体がキャスターで支持可能となるように構成したものである。
【００３９】
すなわち、本発明においては、薄型・シンプル構造・コンパクトの特徴を失うことなく、凹凸の激しい、たとえばコンクリート面でも重量物の移載と設置作業ができるリフターとして適用できる。
【発明の効果】
【００４０】
本発明のリフターをたとえば、重量級のスピーカーにインシュレータを設置する作業に適用すれば、従来、２人以上の人手が必須だった重労働作業から開放されて、安全かつ簡便にインシュレータを設置することができる。また、薄型、シンプル構造にできるため、地震対策として、スピーカー底面に常時配置した場合でも、インテリア家具としてのオーディオ・システムの美観を損なわない。また、インシュレータの着脱、あるいは品種の異なるインシュレータの交換などの作業を速やかに出来るため、心理的影響を受けやすい音響効果の評価を正確にできる等々、その効果は顕著である。
【図面の簡単な説明】
【００４１】
【図１】本発明の実施形態１に係るリフターの下降状態を示し、図２図１aは上面図、図１bは正面断面図（図１aのA-A断面図）
【図２】リフターの下降状態を示し、図２aは上面図、図２bは正面断面図（図２aのA-A断面図）
【図３】図３a〜図３ｃは、実施形態１のリフターを用いて、スピーカーにフローティング方式インシュレータを設置する手順を示す図
【図４】図４a〜図４ｃは、実施形態１のリフターを用いて、スピーカーにフローティング方式インシュレータを設置する手順を示す図
【図５】本発明の実施形態２を示す正面断面図で、図５aはスピーカーを搭載したリフター上昇状態、図５bはリフター下降状態を示す図
【図６】本発明の実施形態３に係るスピーカー用リフターの具体的構成を示し、図６aは上面図、図６bは正面断面図（図６aのB-B断面図）、図６cは側面図
【図７】実施形態３に係るリフターを用いて、インシュレータを評価するオーディオ・システムを示す矢視図で、スピーカーをインシュレータで支持した場合を示す図
【図８】上記、オーディオ・システムにおいて、スピーカーをインシュレータで支持しない場合を示す図
【図９】本発明の実施形態４に係るオーディオ用リフターを示し、図９aは滑り板を収納した状態を示す正面断面図、図９bは滑り板をリフターに装着し、オーディオ機器を滑り板上で移動できる状態にした場合の正面断面図
【図１０】実施形態３に係るリフターを用いて、図１０aはスピーカーを傾斜させた状態でスピーカーを滑り板で滑らせる状態を示す図、図１０bはスピーカーをリフター上面で滑らせた状態を示す図
【図１１】本発明の実施形態４を示すもので、図１１aは上面図（上部板を取り除いた状態）、図１１bはリフターが最も下降した状態における正面断面図、図１１cはリフターが最も上昇した状態における正面断面図
【図１２】本発明の実施形態６に係るリフターの具体的構成を示し、図１２aは上面図、図１２bはリフターが最も上昇した状態における正面断面図、図１２cはリフターが最も下降した状態における正面断面図である。
【図１３】図１３aはフローティング方式インシュレータ上面断面図（図１３bのA-A断面図）、図１３bは正面断面図である。
【発明を実施するための形態】
【実施例】
【００４２】
[第１実施形態]
図１、図２は本発明の実施形態１に係るリフターの具体的構成を示し、図１は下降状態、図２は上昇状態を示す。図１aは上面図、図１bは正面断面図（図１aのA-A断面図）である。また、図２aは上面図、図２bは正面断面図（図２aのA-A断面図）である。１は上部ケース、２は下部ベース、３は螺旋体、４は螺旋体３のフロント側螺旋軸、５はリアー側螺旋軸である。リアー側螺旋軸５は、フロント側螺旋軸４に対してねじ溝が逆方向に形成されている。６はフロント側螺旋軸４と螺合するフロント側ナット、７はリアー側螺旋軸４と螺合するリアー側ナット、８はリアー側螺旋軸５と螺合する中間部ナットである。フロント側ナット６、リアー側ナット７、中間部ナット８はいずれも長方体形状で、その底面は下部ベース２に対して摺動自在の状態で螺旋体３に螺合される。９a，９bはフロント側リンク(a)、及び、フロント側リンク(b)、１０a、１０bはリアー側リンク(a)、及び、リアー側リンク(b)、１１a、１１bは中間部リンク(a)、及び、中間部リンク(b)である。１２a、１２bはフロント側リンク固定部材(A)、及び、フロント側リンク固定部材(B)である。１３a、１３bはリアー側リンク固定部材(A)、及び、リアー側リンク固定部材(B)である。前記フロント側リンク固定部材(A)(B)、及び、前記リアー側リンク固定部材(A)(B)は、上部ケース１に固定されている。１４a、１４bは螺旋体３を回転支持するフロント側軸受(a)、及び、リアー側軸受(b)であり、両軸受１４a、１４b共、下部ベース２に固定されている。
【００４３】
フロント側リンク(a)９aは、一方をピン１５aによりフロント側ナット６と係合し、他方をピン１６aによりフロント側リンク固定部材(A)１２aと係合している。フロント側リンク(b)９b、ピン１５b、フロント側ナット６、ピン１６b、フロント側リンク固定部材(B)１２bの関係も同様である。
【００４４】
中間部リンク(a)１１aは、一方をピン１７aにより中間部ナット８と係合し、他方をピン１８aによりフロント側リンク固定部材(A)１２aと係合している。中間部リンク(b)１１b、ピン１７b、中間部ナット８、ピン１８b、フロント側リンク固定部材(B)１２bの関係も同様である。
【００４５】
リアー側リンク(a)１０aは、一方をピン１９aによりリアー側ナット７と係合し、他方をピン２０aによりリアー側リンク固定部材(A)１３aと係合している。リアー側リンク(b)１０b、ピン１９b、リアー側ナット７、ピン２０b、リンクリアー側固定部材(B)１３bの関係も同様である。
【００４６】
２１は螺旋体３のフロント側先端に形成された回転治具の嵌合部であり、フレキシブルジョイントと結合した回転治具２２（想像線）をこの嵌合部２１に装着して、螺旋体３を回転させることにより、上部ケース１は螺旋体３の中心線と直交方向に上下する。
【００４７】
また、フロント側ナット６、リアー側ナット７、中間部ナット８は本リフターの高さの下限値を決めるストッパーの役割を担っている。図１aにおいて、前記ナットの上面は前記上部ケース１と接触して、上部ケース１の下降を抑止している。このとき、前記フロント側リンク、前記中間部リンク、前記リアー側リンクの傾斜角度＞0であるため、リンクが機能停止に陥ることはない。
【００４８】
本実施例において、フロント側螺旋軸４とリアー側螺旋軸５はねじ溝の方向が逆で、前記フロント側螺旋軸に螺合するナットはフロント側ナット６が１個であるのに対して、前記リアー側螺旋軸には２個のナット、すなわち、リアー側ナット７、中間部ナット８が螺合されている。それぞれのナットはそれぞれのリンクと係合し、これらのリンクは反対側でフロント側とリアー側のリンク固定部材１２，１３と係合している。中間部リンク機構（部材８，１１、１２、及び、ピン１７，１８で構成）が必要な理由は、次のようである。前記中間部リンク機構が無い場合、全体は４辺形の平行リンク機構となるが、この場合、リンク機構の自由度が多すぎて、上部ケース１の下部ベース２に対する平行状態を維持できないからである。強度アップを図るために、前記フロント側螺旋軸に螺合するナットをさらに追加して、このナットと係合するリンク機構を増やしてもよい。また、実施例の全体のリンク構造を上下逆方向で配置しても、機能上の大きな差は無い。
【００４９】
実施例では、螺旋体３に対して左右対象（たとえば、図１a参照）に、２セットの上下移動できるリンク機構を設けたが、各リンク機構に加わる荷重負担分を軽減するめに、螺旋体３に対して並行に、もっと多くのリンク機構を配置してもよい。ちなみに、自動車用に多用される小型ジャッキ（パンタグラフジャッキ）は、螺旋体の上下に設けられた台形の平行リンク機構により構成される。この場合、床面に対して平行状態を維持する上部ケース１に相当する平板部材を設けられない。また、螺旋体を挟み上下２段の平行リンク機構であるため、オーディオ機器を適用対象にした場合、リフターの薄型化は困難である。
【００５０】
[インシュレータの設置方法]
以下、本実施例のリフターを用いて、スピーカーにフローティング方式インシュレータを設置する手順について説明する。詳細は後述するが、本実施例に適用するインシュレータは、円筒形状の上部スリーブと下部スリーブが、スプリングコイルと粘弾性ゴムを介して非接触で嵌合する構成になっている。スプリングのばね剛性と搭載物（オーディオ機器）の質量できまる固有振動数以上は振動遮断効果が得られるため、本明細書ではフローティング方式インシュレータと呼ぶことにする。実施例に適用したインシュレータの前記上下スリーブの嵌合部の隙間は狭いために、前記上下スリーブの軸芯を合わせながら、スピーカーを搭載する必要がある。この点はスパイクとスパイク受けでスピーカーを支持する場合（実施形態２で後述）も同様である。図３において、５０はスピーカー、５１は実施形態１におけるリフター、５２は床面である。
【００５１】
Step１：図３aにおいて、通常、部屋の壁面近傍に配置されているスピーカー５０を背後の壁面から手前に引き離し, 傾斜させた状態でリフター５１の上に載せる。重量級のスピーカーであっても、床面を滑らせ、かつ傾斜させることは、てこの原理により、大きな力を必要とせず比較的容易であった。
【００５２】
Step２：図３bにおいて、傾斜させた前記スピーカーをリフター５１の上に搭載して、前記スピーカーの真下にリフター５１全体が配置されるように、前記スピーカーをリフター５１上で滑らせる。このとき、作業者はリフター５１のフロント側の側面（嵌合部２１近傍）を片足で軽く押さえておけばよい。リフター５１の厚みが薄い程、この作業は容易であり、図１のリンク機構を用いた本実施例のリフターの最小値Ｈmin=35mmであった。実験では、リフター５１の最小値Ｈmin＜50mmならば、 80Ｋｇ級の大型スピーカーの場合でも、一人の作業者で比較的無難にリフター５１の上に搭載できた。また、リフターの最小高さＨminはフローティング方式インシュレータの高さ、あるいはスパイクとスパイク受けを重ねた高さよりも小さくする必要がある。Ｈmin＜50mmならば、スパイク方式インシュレータの多くの商品に適用可能であり、Ｈmin＜40mmならば、フローティング方式を含む大部分の商品に適用できる。
【００５３】
前記スピーカー底面と滑らせるリフター５１の上面は、適度に摺動性のある材料（摩擦係数μA）を用いればよい。
【００５４】
Step３：図３cにおいて、リフター５１上に前記スピーカーを搭載した状態で、前記スピーカーが本来設置すべき部屋の位置（２点鎖線）へ、床面を滑らせて移動する。この段階で、前記スピーカーの適確な位置と角度を調整する。実施例ではリフター５１の下面は、上面以上に自己潤滑性の良い材料（摩擦係数μB）で構成した。摩擦係数μB＜μAであるため、リフター５１を床面上で滑らせることは容易であった。
【００５５】
Step４：図４ａにおいて、リフター５１に回転治具５３を装着する。実施例では、この回転治具５３にラチェット式（フレキシブルジョイントは図示せず）を用いた。ラチェット式治具の回転方向を選択すれば、ハンドル５４を揺動運動させることでリフター５１の螺旋体５５（図１の３相当）を上昇方向だけに回転できる。
【００５６】
Step５：図４ｂにおいて、リフター５１が所定の高さまで上昇した段階で、インシュレータ５６a〜５６d（５６c、５６dは図示せず）を前記スピーカーの底面の４隅に設置する。
【００５７】
Step６：図４ｃにおいて、前記スピーカーの底面が前記インシュレータの上面に接触し、かつ前記スピーカーの質量を前記インシュレータだけで支持できるようになるまで、リフター５１を下降させる。このとき、前記スピーカー底面と前記リフター上面の間に僅かな隙間δを保つように設定しておけば、前記スピーカーに地震などの衝撃的外乱が加わった場合に、スピーカーの転倒防止対策として有効である。
【００５８】
以上、本実施例のリフターの特徴を要約すれば、次の様である。
（１）薄型構造にできる。
特に80Kg以上の重量級スピーカーを扱う場合は、リフターの最小厚みＨmin＜40mmにできる実施例のメカニズムの効用は大きい。上記Step１において、僅かな人手でかつ安全にスピーカーをリフターの上に搭載できる。また、多くのスパイク式インシュレータ、フローティング方式インンシュレータに対して、本発明のリフターを適用できる。
（２）オーディオ機器を搭載した状態で移動できる
リフターの上下動が簡便で、インシュレータの着脱が容易である。また、リフター上面の摩擦係数μA、リフター下面の摩擦係数μBとしたとき、μB＜μAにすれば、スピーカーを搭載した状態でリフターを床面上で滑らせて、スピーカーを所定に位置に配置することができる。
（３）シンプル構造である。
簡素な構造であるため。ローコストである。
（４）地震対策が容易に施せる。
インシュレータ（スパイク方式も含む）を設置した状態で、スピーカー底面と床面の間にリフターを常時配置する。リフター上面とスピーカー底面の間に僅かなギャップ（たとえば、δ＜5mm）を保つ状態に設定しておけば、弾性変形するフローティング方式インシュレータの場合でも、スピーカーに衝撃的外乱荷重が加わったときに、スピーカーの転倒防止が図れる。
（５）美観を損なわない
上記（４）において、常時リフターを配置する場合、薄型構造のリフターはスピーカー底面に隠れるため、インテリア家具としてのオーディオ・システムの美観を損なわない。
（６）インシュレータの試聴実験に有効
インシュレータの着脱、あるいは品種の異なるインシュレータの交換などの作業を速やかに出来るため、リスナーの心理的影響を受けやすい音響効果の評価を正確にできる。後述するが、リフターを電動式にすれば、この効用はさらに卓抜となる。
【００５９】
本実施例では、本発明のリフターをスピーカーに適用する場合について説明したが、ＣＤプレイヤー、アナログプレイヤー、アンプなどに適用する場合でも、上記実施例と同様な効果が得られる。また、各種オーディオ機器が搭載されるオーディオラックはスパイク支持が多用されている。オーディオ機器としてのオーディオラックの設置作業、あるいは、音響特性の評価にも本発明のリフターが適用できる。
【００６０】
[第２実施形態]
図５は本発明の実施形態２を示すもので、スパイク構造で支持されたスピーカーに本発明を適用した場合を示す。図５aはリフター上昇状態、図５bはリフター下降状態を示す。
【００６１】
１００はスピーカーであり、上部ボックス１００aと下部ベース１００bから構成される。上部ボックス１００aと下部ベース１００bは一体化されており分離できない。１０１は実施形態１におけるリフター、１０２は床面である。１０３a〜１０３d（１０３c、１０３dは図示せず）は前記スピーカーの下部ベース１００bに装着されたスパイク、１０４a〜１０４d（１０４c、１０４d）は図示せず）は床面１０２に配置されたスパイク受けである。
【００６２】
図５aにおいて、リフター１０１を上昇させた状態で、スパイク受け１０４a〜１０４dを床面１０２に配置する。次にリフター１０１に回転治具１０５を装着して、リフター１０１を除々に下降させ、前記スパイクと前記スパイク受けの軸芯が一致するように、前記スパイク受けの位置を調整する。図５bは、スピーカーの自重をスパイクだけで支持した状態を示す。スパイク支持方式の場合も、前述したシンシュレータの場合と同様に、前記スピーカー底面と前記リフター上面の間に僅かな隙間を保つように設定しておけば、前記スピーカーに地震などの衝撃的外乱が加わった場合に、スピーカーの転倒防止対策として有効である。
【００６３】
[第３実施形態]
図６は本発明の実施形態３に係るオーディオ用リフターの具体的構成を示し、図６aは上面図、図６bは正面断面図（図６aのB-B断面図）、図６cは側面図である。本実施例では、リフターの螺旋体を電動モータで駆動することにより、インシュレータ設置作業をより簡便に、かつ迅速にできる。また、(1)スピーカーをインシュレータ（スパイクも含む）で支持した場合、(2)スピーカーをインシュレータで支持しない場合、上記(1)(2)を瞬時に切り替えることができるため、インシュレータがスピーカーに与える音響特性を、リスナーは正確、かつ迅速に評価することができる。
【００６４】
２０１は上部ケース、２０２は下部ベース、２０３は螺旋体である。螺旋体２０３のねじ溝は、フロント側とリアー側では逆方向に形成されている。２０４は螺旋体２０３と螺合するフロント側ナット、２０５は螺旋体２０３と螺合するリアー側ナット、２０６は螺旋体２０３と螺合する中間部ナットである。フロント側ナット２０４、リアー側ナット２０５、中間部ナット２０６はいずれも長方体形状で、その底面は下部ベース２０２に対して摺動自在の状態で螺旋体２０３に螺合される。２０７はフロント側リンク、２０８はリアー側リンク、２０９は中間部リンクである。２１０はフロント側リンク固定部材、２１１はリアー側リンク固定部材である。前記フロント側リンク固定部材、及び、前記リアー側リンク固定部材は、上部ケース２０１に固定されている。２１２、２１３は螺旋体３を回転支持するフロント側軸受、及び、リアー側軸受であり、両軸受２１２、２１３共、下部ベース２０２に固定されている。フロント側リンク２０７は、一方をピン２１４によりフロント側ナット２０４と係合し、他方をピン２１５によりフロント側リンク固定部材２１０と係合している。中間部リンク２０９は、一方をピン２１６により中間部ナット２０６と係合し、他方をピン２１７によりフロント側リンク固定部材２１０と係合している。リアー側リンク２０８は、一方をピン２１８によりリアー側ナット２０５と係合し、他方をピン２１９によりリアー側リンク固定部材２１１と係合している。
【００６５】
なお、実施形態１の場合と同様に、上記部材２０４〜２１９と同一の部材から構成されるリンク機構が、螺旋体２０３に対して上下対象（図６a）に構成されている。２２０は螺旋体２０３を電動モータで駆動するモータ駆動部であり、減速機及びモータ２２１（想像線）、モータ制御部２２２（想像線）から構成される。２２３は螺旋体２０３のフロント側先端に形成された回転治具の嵌合部であり、上記電動モータを使用しない場合（マニュアルの場合）に、回転治具（図示せず）をこの嵌合部２２３に装着して、螺旋体２０３を回転させることにより、上部ケース２０１は螺旋体３の中心線と直交方向に上下する。この機能は、実施形態１の場合と同様である。本リフターの構成は、上部ケース２０１に収納される部分だけがスピーカー底面に設置できればよく、モータ駆動部２２０はスピーカーから前面に突出する構成でもよい。
【００６６】
図７、及び、図８は、スピーカーに設置されたインシュレータが音響効果に与える影響をリスナーが瞬時に評価できる「インシュレータ評価装置」を示す矢視図である。図７は、スピーカーをインシュレータで支持した場合、図８は、スピーカーはインシュレータで支持しない場合を示す。
【００６７】
２５１、２５２は左右に配置された２チャンネルのステレオ用スピーカーであり、各々のスピーカーはボード２５３、２５４の上に搭載されたインシュレータによって支持されている。２５５a〜２５５d、及び、２５６a〜２５６dは左右のスピーカー２５１、２５２の底面４隅に配置されたインシュレータ（２５５d、２５６dは図示せず）である。２５７、２５８は左右のスピーカーの真下に配置された電動駆動式のリフター（図６と同じ構成）、２５９は前記リフターの駆動を遠隔操作するコントローラである。このコントローラで、音楽を再生中にリフターの上昇と下降を操作することにより
（１）スピーカーをインシュレータで支持した場合（図７）
（２）スピーカーをインシュレータで支持しない場合（図８）
上記(1)(2)による音響効果の差を、リスナーは自らの操作により、瞬時に評価できる。最適な位置とは、通常２つのスピーカーを結ぶ直線を底辺としたとき、三角形の頂点の位置を示す。またオーディオ再生音における音響効果とは
(i)奥域感（空間性）
スピーカーの背景に壮大なオーケストラの空間が、スピーカーから離脱して奥深く展開される。
(ii)分解能（フォーカス感）
各楽器が視覚で見えるようにその存在感が分かり、音像(sound  stage）の焦点が明確に定まる。
(iii)透明感（S／N比）
複層する楽器音が混濁せず分離する。高域が繊細で歪み感が小さい。
(iv)低域の力感（ダンピング特性）
低域が引き締まり、オーケストラの弦の低域音、ジャズのベース音が明確に定位して聴こえる。
などである。現在、世の中で実に多くのタイプのオーディオ用・インシュレータが市販されている。インシュレータを設置することで音が変わる事は物理的にも説明はつくが、良い音になったかどうかは、聴取する側の主観による要素（プラセボ効果）が多いため、音質向上を謳っているインシュレータ商品でも、実際の効能としては疑わしいものも少なくない、とされる。
【００６８】
ここで、心理的要因であるプラセボ効果（偽薬効果）とは、偽薬を処方しても、薬だと信じ込む事によって何らかの改善がみられる事を言う。この改善は自覚症状に留まらず、客観的に測定可能な症状の改善効果として現われる事もある。また、病気の症状自体の改善というよりは、「薬を飲んでいる」事による精神的な安心感を得る方が目的となる事もある。このような単なる精神的安楽を得る効果は偽薬効果には含まれないが、両者の区別が難しい場合もある。
【００６９】
すなわち、オーディオ分野では「高価である」がゆえに、「音質も良いはず」というプラセボ効果が働くのである。特に、オーディオ用・インシュレータの場合、リスナーがプラセボ効果の呪縛から逃れにくい理由は、インシュレータ有無の条件の差、すなわち上記(1)⇔(2)へ移行するのに、多大な労力と長い待機時間を必要とするからである。すなわち、前述したように、「品種の違うテレビを左右に並べて、両者の画質を同時に評価する」ようにはいかないのが、オーディオ用・インシュレータを評価する上での最大の難題であった。
【００７０】
本発明者は、プラセボ効果の呪縛から回避できる最大のポイントは、上記(1)⇔(2)への移行するまでの待機時間の短縮、すなわち、インシュレータ有無の「切り替え時間の短縮」であることに着目した。本発明のリフター（インシュレータ評価装置）を適用することにより、リスナーは、ステレオ再生による音像定位感が最適な位置で、自らのリモコン操作でリフターを上下動させることにより、瞬時にインシュレータ有無の音響特性の違いを評価できる。本発明のリフターでは、上記(1)⇔(2)への移行時間は２秒以下であった。品種の異なるインシュレータの音響特性の差を評価する場合は、インシュレータの交換に時間を要するが、左右のスピーカーのそれぞれに補助者を配置すれば、５秒程度で可能であった。
【００７１】
硬質材料による各種インシュレータを相対評価する場合でも、本発明のインシュレータ評価装置を効果的に活用できる。硬質材料インシュレータとして、前述したように、木材、樹脂、金属、水晶、セラミック、石英、珊瑚等を用いたもの、及びこれらの素材を多層構造にした複合タイプが考案され商品化されている。但し、硬質材料インシュレータは高さが低い商品が多いため、オーディオ機器と床面の間にブロック材を介在させ、このブロック材とオーディオ機器の間に硬質材料インシュレータを装着する構成にすればよい。ブロック材とインシュレータを合わせた高さが、リフターの最小高さＨmin以上になるように、前記ブロック材の高さＨBを選べばよい。実験結果では、ブロック材としては、低周波数域で鋭敏な共振特性を持たない材料（音にクセの無い材料）として木質系の素材が好ましかった。
【００７２】
本実施例では、本発明のリフターをスピーカーに適用する場合について説明したが、ＣＤプレイヤー、アナログプレイヤー、アンプ、オーディオラックなどに適用する場合でも、上記実施例と同様な効果が得られる。
【００７３】
[第４実施形態]
図９は本発明の実施形態４に係るオーディオ用リフターの具体的構成を示し、図９aは滑り板を収納した状態を示す正面断面図、図９bは滑り板をリフターに装着し、オーディオ機器を滑り板上で移動できる状態にした場合の正面断面図である。４５０はリフター本体部であり、実施形態１、２に適用されたものが適用できるため、記号の詳細は省略する。４５１は床面、４５２は滑り板であり、補強板４５３とこの補強板の上に張り付けられた自己潤滑性シート４５４から構成される。自己潤滑性シート４５４は、たとえば、テフロン（登録商標）、ナイロン（ポリアミド）などによるシートが適用できる。４５４ａは蝶番（ちょうつがい）であり、その一端は補強板４５３に固定され、もう一方は蝶番収納部４５５に収納される。補強板４５３と蝶番４５４ａはリフター４５０から着脱自在である。
【００７４】
図１０は、スピーカーをリフター上に搭載し、滑らせる状態を示すものである。図１０aにおいて、スピーカー４５６を傾斜させた状態で、リフター４５０の滑り板４５２をスピーカー４５６の底面に挿入する。次にスピーカー４５６を滑り板４５２上で滑らせる。このとき、補強板の上に張り付けられた自己潤滑性シート４５４の摩擦係数μCは十分に小さいため、スピーカー４５６は容易にリフター上に搭載できる。滑り板４５２とリフター４５０上面の境界部における前記滑り板側の端部、あるいは、前記リフター側の端部を曲面にしておけば、記滑り板側から前記リフター側へのスピーカーの移載はより容易となる。
【００７５】
次に図１０bにおいて、前記スピーカーをリフター上面４５７で矢印の方向へ滑らせる。実施形態１同様に、リフター上面４５７は、適度に摺動性のある材料（摩擦係数μA）が用いられている。但し、摩擦係数μC＜μAである。
【００７６】
次のステップ（以下図示せず）で、リフター上面４５７に前記スピーカーを搭載した状態で、前記スピーカーが本来設置すべき部屋の位置へ、床面を滑らせて移動する。この場合、リフター４５０の下面は、上面以上に自己潤滑性の良い材料（摩擦係数μB）で構成すれば、すなわち、摩擦係数μB＜μAとすれば、リフター４５０を床面上で滑らせることは容易である。スピーカー４５６を部屋の所定の位置に設置後は、滑り板４５２をリフター４５０から外せばよい。
【００７７】
[第５実施形態]
図１１は本発明の実施形態５に係るオーディオ用用リフターの具体的構成を示し、図１１aは上面図（上部板３０１を取り除いた状態）、図１１bはリフターが最も下降した状態における正面断面図、図１１cはリフターが最も上昇した状態における正面断面図である。本実施例は、リフターが最も上昇した状態で、リフター側面に配置されたキャスターがリンク機構により有効に作用して、オーディオ機器が搭載されたリフターの床面上の移動を容易にしたものである。本実施例の発明により、重量級のスピーカーを摺動性が悪く、たとえば凹凸面が多いコンクリートの床面に設置される場合でも、インシュレータ（スパイクも含む）の設置が容易にできる。
【００７８】
３０１は上部板、３０２はベース台、３０３は螺旋体である。図１１aにおいて、上部板３０１は想像線で示している。螺旋体３０３のねじ溝は、フロント側とリアー側では逆方向に形成されている。３０４は螺旋体３０３と螺合するフロント側ナット、３０５は螺旋体２０３と螺合するリアー側ナット、３０６は螺旋体３０３と螺合する中間部ナットである。フロント側ナット３０４、リアー側ナット３０５、中間部ナット３０６はいずれも長方体形状で、その底面はベース台３０２に対して摺動自在の状態で螺旋体３０３に螺合される。３０７a、３０７ｂはＬ字型形状のフロント側リンク、３０８a、３０８bはＬ字型形状のリアー側リンク、３０９a、３０９bは中間部リンクである。３１０a、３１０bはフロント側リンク固定部材、３１１a、３１１bはリアー側リンク固定部材である。前記フロント側リンク固定部材、及び、前記リアー側リンク固定部材は、上部板３０１に固定されている。３１２、３１３はベース台３０２の左右に設けられた螺旋体３０３を回転支持するフロント側軸受部、及び、リアー側軸受部である。
【００７９】
前記フロント側リンク、前記フロント側ナット、前記フロント側リンク固定部材、前記中間部リンク、前記中間部ナット、前記リアー側リンク、前記リアー側リンク固定部材、前記リアー側ナットのそれぞれはピン３１４a〜３１９a、及び、ピン３１４b〜３１９bにより係合している。（ピン３１４b〜３１９bは矢印で記載せず）３２０a、３２０bはフロント側キャスター、３２１a、３２１bは車輪、３２２a、３２２bは車輪軸、３２３a、３２３bは車輪支持体、３２４a、３２４bは前記車輪支持体を前記フロント側リンクに回転自在に係合するための支持ピンである。３２５a、３２５bはリアー側キャスターであるが、フロント側キャスターと同様に車輪、車輪軸、車輪支持体、支持ピンで構成される。３２６は螺旋体３０３のフロント側先端に形成された回転治具の嵌合部であり、回転治具（図示せず）をこの嵌合部３２６に装着して、螺旋体３０３を回転させることにより、上部板３０１は螺旋体３０３の中心線と直交方向に上下する点は、実施形態１の場合と同様である。３２７はリフターを設置する床面である。本実施例では、螺旋体３０３を回転により、上部板３０１が上昇すると同時に、Ｌ字型形状の前記フロント側リンクと前記リアー側リンクが水平状態から徐々に立ち上がっていく。この２つのリンクが所定の角度まで傾斜したとき、前記フロント側とリアー側リンクの設けられた前記キャスターの前記車輪が床面３２７に接触し、前記キャスターを有効に機能させる。本実施例のリフターは、凹凸面を有するコンクリートの床面上で重量級スピーカーを移動させ、スピーカーの角度を設定し、インシュレータを設置するのに極めて有用である。インシュレータをスピーカーの底面に設置した後は、上部板３０１の下降と共に、前記キャスターの前記車輪は床面から離れ、キャスターの機能は無効となる。ちなみに、本実施例で示したキャスター付きリフター、及び前述した実施例のリフターは、オーディオ機器以外の重量物の搭載・移載作業などにも適用できる。
【００８０】
[第６実施形態]
図１２は本発明の実施形態６に係るオーディオ機器用リフターの具体的構成を示し、図１２aは上面図、図１２bはリフターが最も上昇した状態における正面断面図、図１２cはリフターが最も下降した状態における正面断面図である。本実施例は、リフターを上下動させる駆動源にエアーを用いた場合を示す。
【００８１】
４０１は上部板、４０２はベース台、４０３は前記上部板と前記ベース台の間に挟持されたベロフラム式エアーシリンダ、４０４はこのエアーシリンダの吸気孔である。４０５a、４０５b、４０５cはガイド軸（ガイド部）であり、スリーブ形状のガイド軸４０５bは４０５aに収納され、ガイド軸４０５cは４０５bに収納される。ガイド軸４０５aはボルト４０６によりベース台４０２に締結され、またガイド軸４０５cはその端部４０７で上部板４０１に締結される。ガイド軸４０８a、４０８b、４０８c、及び、ガイド軸４０９a、４０９b、４０９cの構成と、上部板４０１、ベース台４０２への締結方法は同様である。
【００８２】
本実施例では、駆動源にエアーを用いることにより、リフターの全体構成をおおいに簡素化できる。また前記ガイド軸を前記エアーシリンダの周囲に配置することで、ベース台４０２に対する上部板４０１の半径方向の移動、及び、上部板４０１の傾斜を規制できる。前記ガイド軸をスリーブ多重構造にして伸縮自在にすることで、リフターの最下降時の高さＨを十分に低くできと共に、リフターの上限値を規制できる。前記ガイド軸の構成により、たとえば、重量級のスピーカーが本リフターに搭載された状態で、前記エアーシリンダの突然の破損により空気漏れが発生した場合でも、スピーカーは傾斜することなく下降するため、その転倒を防止できる。
【００８３】
また本リフターの最小高さと押し上げ距離の調節は次のようにして行う。複数のスリーブから構成されるガイド軸を着脱容易にして、高さの上限値と下限値が異なる組み合わせのものを、高さの異なるインシュレータの種類に合わせて選択すればよい。また、エアーシリンダの空気漏れ対策として、複数の膜による多重構造にしておけば、長期の信頼性が確保できる。
【００８４】
エアー駆動式リフターを用いて、実施形態３で示した「インシュレータ評価装置」を構成できる。この場合、シリンダに供給するエアーは、エアーポンプの駆動を制御してもよく、あるいはバルブを用いて圧力源とシリンダに繋がる流路の開閉を制御してもよい。
【００８５】
[補足]フローティング方式インシュレータの構成
さて、上述した実施形態に適用したフローティング方式インシュレータをスピーカーに設置する際に、本発明のリフターが有効な理由を、図１３を用いて説明する。図１３aは上面断面図（図１３bのA-A断面図）、図１３bは正面断面図である。
【００８６】
５００は上部スリーブ（荷重支持部）、５０１は下部スリーブ（固定部）、５０２は前記下部スリーブの中央部に突設して形成された筒部、５０３は前記筒部の外周部に装着されたサージング防止部材（振動発生防止手段）である。前記上部スリーブと前記下部スリーブの内部にスプリングコイル５０４が設けられている。スプリングコイル５０４の下端外周部は前記下部スリーブ底面に形成された位置決め部５０５に、スプリングコイル５０４の上端外周部は前記上部支持部底面に形成された位置決め部５０６に嵌まり込むようになっている。そのため、本インシュレータはスプリングコイル５０４を装着した状態で、両部材５００，５０１の軸芯が一致した状態を保つことができる。
【００８７】
本インシュレータは、長い筒形形状の上部スリーブ５００が下部スリーブ５０１（固定部）を、スプリングコイル５０４を介在して、収納する構造になっている。この構造により、次の役割を担うことができる。
【００８８】
（１）オーディオ機器の荷重を支持する。
（２）フローティング方式と硬質材料方式の２つのインシュレータの長所を「同時に併せ持つ」ことができる。
（３）オーディオ機器（スピーカー）に衝撃的外乱荷重が加わったとき、転倒防止が図れる。
【００８９】
上記(1)についての説明は省略し、上記(2)の理由について、少し詳しく述べる。上部スリーブ５００の上面から床面（図示せず）に至る振動の経路を振動伝播経路ΦZとする。太い線径を有するスプリングコイル５０４は、オーディオ機器が発生する振動を床面に伝播する「音響管」(Sound  tube)としての役割を担う。さらに、この振動伝播経路ΦZから分岐した振動伝播経路ΦRを筒型形状部材で構成すると、「風鈴効果」(Wind  bell  effect)ともいうべき以下述べる顕著な音響特性の改善が図れる。本実施例において、上部スリーブ５００内部はスプリングコイル５０４を収納する空洞を有し、一方の端部を密閉構造、もう一方の端部を大気解放端とする筒型形状、すなわち、「風鈴」に近い形状となっている。すなわち、前記振動伝播経路ΦZに風鈴の振動系ΦRを組み合わせることにより、良質な音響素材がもたらす効果が一層増強される。振動系ΦRは上部スリーブ５００の端部を振動伝播経路ΦRの解放端として、前記振動伝播経路ΦZに対して並列配置された分布定数系の質量とバネで決まる振動系として振動伝播経路ΦZに影響を与える。風鈴が糸で吊り下げられて妙なる音色を奏でることができるように、上部スリーブ５００の上端部は剛性の小さなスプリングコイル５０４で柔らかく支持されている。すなわち、前記上部スリーブの材料に、高周波域での響きの親和性を考慮した良質な音響素材（たとえば、固有音響インピーダンスが107Ns/m3以上）を用いることにより、効果的に音響特性の改善が図れる。
【００９０】
上記(3)の理由は次のようである。本インシュレータでは、前述した「風鈴効果」を得るために設けた長い筒状のスリーブを利用して、インシュレータに搭載されたオーディオ機器に地震などによる衝撃的な水平方向外乱荷重が加わった場合、オーディオ機器の傾斜を最小限に抑えて、転倒を防止することができる。たとえば、スピーカーに水平方向外乱荷重が加わったとき、本インシュレータの上部スリーブ５００は荷重Fにより図１３b中の想像線で示すように傾斜する。このとき、上部スリーブ５００と下部スリ−ブ５０１の半径方向の狭い間隙δが、上部スリーブ５００のある値以上の傾斜を抑止することができる。
【００９１】
したがって、上記構成からなるフローティング方式インシュレータの特徴を活かすためには、インシュレータにオーディオ機器が搭載された状態で、上部スリーブ５００と下部スリーブ５０１の軸芯が一致、すなわち、前記間隙δが円周上で均一な状態に保たれている必要がある。本発明のリフターを適用すれば、実施形態１で説明したように、Step5（図４ｂ）からStep6（図４ｃ）に移行する過程では、上部スリーブ５００には鉛直方向だけに力が加わるために、両スリーブ５００、５０１の軸芯を確実に合せた設置作業ができる。
【符号の説明】
【００９２】
１００・・・  オーディオ機器
１０１・・・  リフター
１０３a、１０４a・・・インシュレータ
【図１】
0005872771.tif 000002
【図２】
0005872771.tif 000003
【図３】
0005872771.tif 000004
【図４】
0005872771.tif 000005
【図５】
0005872771.tif 000006
【図６】
0005872771.tif 000007
【図７】
0005872771.tif 000008
【図８】
0005872771.tif 000009
【図９】
0005872771.tif 000010
【図１０】
0005872771.tif 000011
【図１１】
0005872771.tif 000012
【図１２】
0005872771.tif 000013
【図１３】
0005872771.tif 000014